【手続補正書】
【提出日】令和1年11月29日(2019.11.29)
【手続補正１】
【補正対象書類名】特許請求の範囲
【補正対象項目名】全文
【補正方法】変更
【補正の内容】
【特許請求の範囲】
【請求項１】
光通信装置であって、
第１、第２、及び第３の光ケーブルを接続するための分岐ユニットを備え、前記第１、第２、及び第３の光ケーブルのそれぞれは光ファイバを備え、前記分岐ユニットは、前記第１の光ケーブルの前記光ファイバから前記分岐ユニットに入力される固定かつ所定の信号波長域を、前記第３の光ケーブルの前記光ファイバに転送するように配置された分岐光路を備え、
少なくとも１つの光スイッチを備えるスイッチングモジュールを備え、前記少なくとも１つの光スイッチは、バイパス設定と分岐接続設定とを有し、前記バイパス設定においては、前記分岐光路を介した前記第３の光ケーブルの遠位部分への接続がバイパスされることによって、前記第１の光ケーブルの前記光ファイバから前記分岐ユニットに入力される全ての信号波長が、最初に前記第３の光ケーブルの前記遠位部分への接続を介して転送されることなく、前記第２の光ケーブルの前記光ファイバに転送され、前記分岐接続設定においては、前記分岐光路が有効化されることにより、前記第１の光ケーブルの前記光ファイバから前記分岐ユニットに入力される固定かつ所定の信号波長域が前記第３の前記光ケーブルの前記遠位部分の前記光ファイバに転送される、装置。
【請求項２】
前記分岐ユニットは前記スイッチングモジュールを備え、前記少なくとも１つの光スイッチは、前記第３の光ケーブル全体をバイパスするように動作可能である、請求項１に記載の装置。
【請求項３】
前記スイッチングモジュールは、前記分岐ユニットから離れた位置にあり、前記装置は、前記スイッチングモジュールを前記分岐ユニットに接続する前記第３の光ケーブルの近位部分を備え、前記スイッチングモジュールは、前記第３の光ケーブルの前記遠位部分への接続を備える、請求項１に記載の装置。
【請求項４】
前記少なくとも１つの光スイッチのそれぞれは、波長無依存光スイッチを備える、請求項１〜３のいずれか一項に記載の装置。
【請求項５】
前記分岐光路は、ファイバドロップ配置構成を備え、前記ファイバドロップ配置構成においては、前記固定かつ所定の波長域が、前記第１の光ケーブルの前記光ファイバによって前記分岐ユニットに入力される波長の全てを含む、請求項１〜４のいずれか一項に記載の装置。
【請求項６】
前記分岐光路は、波長ドロップ配置構成を備え、前記波長ドロップ配置構成においては、波長選択フィルタが、前記第１の光ケーブルの前記光ファイバによって前記分岐ユニットに入力される前記固定かつ所定の波長域を前記第３の光ケーブルの前記光ファイバに転送するように配置される、請求項１〜４のいずれか一項に記載の装置。
【請求項７】
前記スイッチングモジュールはバイパス光路を備え、前記少なくとも１つの光スイッチは、
前記第１の光ケーブルの前記光ファイバから前記バイパス光路に信号を迂回させるように動作可能な第１の光スイッチと、
前記バイパス光路から前記第２の光ケーブルの前記光ファイバに信号を追加するように動作可能な第２の光スイッチとを備える、請求項１〜６のいずれか一項に記載の装置。
【請求項８】
前記スイッチングモジュールは、前記第３の光ケーブルからの電気信号を検出するための電気検出器を備え、前記スイッチングモジュールは、前記電気検出器に応答する、請求項１〜７のいずれか一項に記載の装置。
【請求項９】
前記スイッチングモジュールは、前記第３の光ケーブルからの光信号を検出するための光検出器を備え、前記スイッチングモジュールは、前記光検出器に応答する、請求項１〜８のいずれか一項に記載の装置。
【請求項１０】
分岐ユニットからの分岐接続の一部分を分離する方法であって、請求項１〜９のいずれか一項に記載の装置を使用することを含み、前記分岐接続は前記第３の光ケーブルを備える、方法。
【請求項１１】
前記第３の光ケーブルの前記遠位部分における破断を検出すること、及び、前記第３の光ケーブルの前記遠位部分をバイパスするために前記スイッチングモジュールを動作させることを更に含む、請求項１０に記載の方法。
【請求項１２】
前記第３の光ケーブルの前記遠位部分をバイパスするために前記スイッチングモジュールを動作させることは、前記分岐光路から前記第２の光ケーブルの前記光ファイバに上乗せする周波数帯域を送信することを含む、請求項１１に記載の方法。
【請求項１３】
前記分岐接続は、前記第３の光ケーブルの前記遠位部分を前記第３の光ケーブルの近位部分に接続するためのアドドロップボックスを備え、前記スイッチングモジュールは、前記第３の光ケーブルの前記遠位部分が前記アドドロップボックスに接続される前、前記バイパス設定に維持される、請求項１０に記載の方法。
【請求項１４】
前記第３の光ケーブルの前記遠位部分が接続された後に、前記スイッチングモジュールの設定を変更して、前記第３の光ケーブルの前記遠位部分を前記第３の光ケーブルの前記近位部分に接続することを更に含む、請求項１３に記載の方法。
【請求項１５】
前記分岐ユニットは海底分岐ユニットであり、前記第２及び第３の光ケーブルは、前記分岐ユニットから陸上の場所への代替の陸揚げを提供するために使用され、前記スイッチングモジュールは、前記分岐ユニットから前記陸上の場所への前記信号の陸揚げに、前記第２及び第３の光ケーブルのうちいずれの光ケーブルを使用するかを制御するために使用される、請求項１０〜１４のいずれか一項に記載の方法。
【手続補正２】
【補正対象書類名】明細書
【補正対象項目名】００２２
【補正方法】変更
【補正の内容】
【００２２】
【図１】図１は、ファイバドロップ分岐ユニットの概略図である。
【図２】図２は、光アドドロップマルチプレクサ（ＯＡＤＭ）分岐ユニットの概略図である。
【図３】図３は、ループコネクタを備える遠隔位置のボックスを有する分岐ユニットの概略図である。
【図４】図４は、分岐接続を行うためのＯＡＤＭを備える遠隔位置のボックスを有する分岐ユニットの概略図である。
【図５】図５は、ブロードキャスト分岐ユニットの概略図である。
【図６】図６は、一実施形態によるファイバドロップ分岐ユニットの概略図であり、分岐接続設定のスイッチングモジュールを備える。
【図７】図７は、バイパス設定のスイッチングモジュールを有する図６のファイバドロップ分岐ユニットの概略図である。
【図８】図８は、一実施形態によるＯＡＤＭ分岐ユニットの概略図であり、分岐接続設定のスイッチングモジュールを備える。
【図９】図９は、バイパス設定のスイッチングモジュールを有する図８のＯＡＤＭ分岐ユニットの概略図である。
【図１０】図１０は、一実施形態によるブロードキャスト分岐ユニットの概略図であり、分岐接続設定のスイッチングモジュールを備える。
【図１１】図１１は、バイパス設定のスイッチングモジュールを有する図１０のブロードキャスト分岐ユニットの概略図である。
【図１２】図１２は、一実施形態で使用するためのスイッチングモジュールの概略図である。
【図１３】図１３は、一実施形態による光システムの概略図であり、ファイバドロップ分岐ユニット及び分岐接続設定の遠隔位置のスイッチングモジュールを備える。
【図１４】図１４は、遠隔位置のスイッチングモジュールがバイパス設定にある図１３の光システムの概略図である。
【図１５】図１５は、第１の場所、第２の場所、分岐ユニット、スイッチングモジュールを備える光通信装置を示す。
【手続補正３】
【補正対象書類名】明細書
【補正対象項目名】００２７
【補正方法】変更
【補正の内容】
【００２７】
分岐ユニット１５０は、第１の光ケーブル１１０の光ファイバ１１１を第３の光ケーブル１３０内へ光ファイバ１３１として方向転換させる。したがって、分岐ユニット１５０に入る全ての信号は、それらの波長によらず、第３の光ケーブル１３０全体に転送され、その後、第３の場所１０３に転送される。第３の場所で受信されるスペクトル（例えば、周波数帯域）１６５は、第１及び第２の波長域１６１、１６２を含む。第３の場所から送信されるスペクトル１７０は、第１及び第２の波長域１６１、１６２を含む。第１の波長域１６１は、第３の場所１０３においてループ接続１３５を通過させられてもよい。
【手続補正４】
【補正対象書類名】明細書
【補正対象項目名】００４７
【補正方法】変更
【補正の内容】
【００４７】
図１３及び図１４は、ファイバドロップ分岐ユニット１５０から離れた位置にあるスイッチングモジュール２１０の例を示す。例えば、スイッチングモジュール２１０は、図３及び４を参照して述べるボックス１８０内にあってもよい。それにより、スイッチングモジュール２１０は、第３のケーブルの遠位部分１３０ｂに信号が転送されないように、第３のケーブルの近位部分１３０ａの光ファイバ１３１からボックス１８０（及びスイッチングモジュール２１０）に入る全ての信号に対してバイパス光路を提供するように動作可能であってもよい。分岐接続有効化設定において、スイッチングモジュール２１０は、第３の場所１０３に対する分岐接続が行われるように、第３の光ケーブルの遠位部分１３０ｂの光ファイバ１３１によって搬送される光信号の少なくとも一部を第３の光ケーブルの近位部分１３０ａに接続するように動作可能であってもよい。
【手続補正５】
【補正対象書類名】明細書
【補正対象項目名】００５１
【補正方法】変更
【補正の内容】
【００５１】
スイッチングモジュール２１０は、第１のケーブル１１０からの信号を第２の場所１０２に陸揚げするために第２及び第３のケーブル１２０、１３０のうちいずれのケーブルを使用するかを制御する。第１の（バイパス）設定において、第３のケーブルへの（分岐）接続はバイパスされ、第１のケーブル１１０から分岐ユニット１５０に入る全ての信号は、（第３のケーブル１３０に入ることなく）第２のケーブル１２０を介して第２の場所１０２に転送される。第２の（分岐接続）設定において、第２のケーブル１２０への接続はバイパスされ、第１のケーブル１１０から分岐ユニットに入る全ての信号は、（第２のケーブル１２０に入ることなく）第３のケーブル１３０を介して第２の場所１０２に転送される。